(57)【要約】【課題】ネイルチップ等に模様などをデザインする場合に、ネイルチップ等を適度の角度で保持できるようにし、また複数のネイルチップの保持台を用いて複数のネイルチップ等に模様などを効率よくデザインできるようにして、従来の問題点を解決することを目的とするものである。【解決手段】基台に設けた支持部材に、支柱を着脱自在に取り付け可能とするとともに、前記支柱へネイルチップの保持台を首振り可能に連結したことを特徴とするネイルチップ用スタンド。【選択図】          図１
2004313634.tif 000002
【特許請求の範囲】
【請求項１】
基台に設けた支持部材に、支柱を着脱自在に取り付け可能とするとともに、前記支柱へネイルチップの保持台を首振り可能に連結したことを特徴とするネイルチップ用スタンド。
【請求項２】
基台に設けた支持部材に支柱を着脱自在に取り付ける手段が、支持部材の上部に設けた支柱をはめ込むための筒状部であることを特徴とする請求項１に記載のネイルチップ用スタンド。
【請求項３】
支柱へネイルチップの保持台を首振り可能に連結する手段が、連結軸および軸受の組み合わせからなることを特徴とする請求項１に記載のネイルチップ用スタンド。
【請求項４】
支柱へネイルチップの保持台を首振り可能に連結する手段が、玉軸受からなることを特徴とする請求項１に記載のネイルチップ用スタンド。
【請求項５】
基台に設けた支持部材が複数配列され、前記支持部材にはめ込んだ支柱を介してネイルチップの保持台を取り付けることにより、１つの保持台に取り付けたネイルチップ等に対する作業を他の保持台のネイルチップ等に対する作業とは独立して行なうことができるようにしたことを特徴とする請求項１記載のネイルチップ用スタンド。
【発明の詳細な説明】
【０００１】
【発明の属する技術分野】この発明は、ネイルチップに模様などをデザインする場合に、ネイルチップ等を適度の角度で保持できるようにすること、また複数のネイルチップの保持台を用いて複数のネイルチップに模様などを効率よくデザインできるようにすることを目的としたネイルチップ用スタンドに関する。
【０００２】
【従来の技術】従来、ネイルチップにデザインを施す場合には、適宜の場所へ仮着して（または手に持って）、デザインを施している。従来知られているネイルチップ用スタンドは、定板上へ支柱を設け、支柱上へ、ネイルチップを支持すべき受片を固定した構造が知られていた。そして前記ネイルチップの固定手段としては、従来両面粘着テープを使用していた。
【０００３】またそれ以外にも、次のような発明が提案されている。
１）特開２００２−１３６３３４「安定板上へ、支持軸を、角度をなして取り付けるとともに、前記支持軸へネイルチップの保持手段を有する支持筒を嵌装したことを特徴とするネイルチップ用スタンド。」（特許文献１参照）。
２）特開２００３−００９９３８「上面の一側に指固定くぼみと他側に模様プレート固定くぼみを有する台座と、この台座に対して近接離間自在の転写部材とマニキュア液付与部材とを前記指固定くぼみと模様プレート固定くぼみとを結ぶ方向に沿って設けるとともに、前記指固定くぼみと模様プレート固定くぼみとを結ぶ方向に移動可能に前記台座上に配置される移動部材とからなることを特徴とするネイルアート台。」（特許文献２参照）。
【０００４】
【発明により解決しようとする課題】前記従来のネイルチップ用スタンド等のように、定板上へ支柱を直立し、支柱の上端へネイルチップを支持すべき受片を固定した構造にあっては、デザインを施す時のネイルチップの角度が適切な場合が少なく、したがって一方の手でネイルチップの角度をつくり、他方の手でデザインを施すか、または姿勢を変えることによってデザインし易い角度及び距離を作るなどの方法を採用しているので、デザインを施す際に、最良の支持角度を与えるには技術を要し、一般には困難であった。
【０００５】また当初の支持角度が、ネイルチップの中央部をデザインし易い場合であっても、ネイルチップの両側部はデザインし難い場合が少なくないので、片手で視線に合わせた角度に支持しながらデザインしなければならない問題点があった。また複数のネイルチップ用スタンドを持たない場合にはデザインの終了したネイルチップを他所へ移して乾燥させるなどの手段を取らなければならない問題点があった。
【０００６】さらに上記特許文献１の場合には、支柱の角度を可変とした実施例は示されているが、支柱と安定板との連結部分が軸着されており、支柱の首振りの動作が大きくなりすぎて角度の調整が難しい上に、作業時の安定感が悪いという欠点があった。もちろん、複数のネイルチップに対して効率よく作業を施すことには無理があった。
【０００７】上記特許文献２は、指そのものを指固定くぼみにセットして爪上に模様を転写する機構であり、ネイルチップにデザインを施すものではないので参考にはなり得ない。
【０００８】この発明のネイルチップ用スタンドは、ネイルチップに模様などをデザインする場合に、ネイルチップを適度の角度で保持できるようにし、また複数のネイルチップの保持台を用いて複数のネイルチップに模様などを効率よくデザインできるようにして、前記従来の問題点を解決したのである。
【０００９】
【課題を解決するための手段】すなわちこの発明のネイルチップ用スタンドは、基台に設けた支持部材に、支柱を着脱自在に取り付け可能とするとともに、前記支柱へネイルチップの保持台を首振り可能に連結したことを特徴とするものである。
【００１０】この発明のネイルチップ用スタンドは、上記基台に設けた支持部材に支柱を着脱自在に取り付ける手段が、支持部材の上部に設けた支柱をはめ込むための筒状部であることをも特徴とするものである。
【００１１】この発明のネイルチップ用スタンドは、上記支柱へネイルチップの保持台を首振り可能に連結する手段が、連結軸および軸受の組み合わせからなることをも特徴とするものである。
【００１２】この発明のネイルチップ用スタンドは、上記支柱へネイルチップの保持台を首振り可能に連結する手段が、玉軸受からなることをも特徴とするものである。
【００１３】この発明のネイルチップ用スタンドは、上記基台に設けた支持部材が複数配列され、前記支持部材にそれぞれ支柱を介してネイルチップの保持台を取り付けることにより、１つの保持台に取り付けたネイルチップに対する作業を他の保持台のネイルチップに対する作業とは独立して行なうことができるようにしたことをも特徴とするものである。
【００１４】この発明のネイルチップ用スタンドによれば、スタンド上のネイルチップが首振りできるようになっている。したがって、隣り合った保持台に取り付けたネイルチップに対する作業において、１の保持台上のネイルチップに対する作業が終わったときに、そのネイルチップを反対側に向けておくことにより、次のネイルチップの作業の際に前のネイルチップを汚すことがない。不良率が低下するとともに、効率的に作業を行なうことができる。
【００１５】ネイルチップの保持台を取り付けた支柱は、基台上に設けた支持部材に対して着脱自在となっている。したがって、ネイルチップを取り付けたまま支持部材から抜き取り、支柱を手に持った状態でネイルチップ上に模様付け等の作業を行なうことができるので、非常に作業がしやすい。
【００１６】ネイルチップ上にエアブラシ等をかけた場合、支柱は支持部材に収納されていて汚れることがない。したがって、支柱の部分ごと抜き取り、乾燥台に設けた筒状部にこの支柱をはめ込んで、ネイルチップを乾燥させることができる。また、飾り棚に同様の筒状部を設けておけば、支持部材からネイルチップを支柱ごと抜き取って筒状部に取り付けることにより、すぐにディスプレイすることも可能である。
【００１７】
【発明の実施の形態】以下この発明のネイルチップ用スタンドの実施の形態を、図面に基いて詳細に説明する。
図１（ａ）は支柱上にネイルチップの保持台を組み付けた状態の正面図、（ｂ）はその側面図、図２は基台の支持部材に支柱を取り付ける状態を示す側面図、図３は取り付け後の要部断面図、図４はこの発明のネイルチップ用スタンドの他の実施例を示す断面図、図５はその使用状態を示す斜視図、図６は基台を陳列する状態を示す斜視図である。
【００１８】この発明は、図１（ａ），（ｂ）ないし図３に示すように、適宜長さの基台１１に設けた、少なくとも頭部を筒状とした支持部材１２に、支柱１４を着脱自在に取り付けるとともに、前記支柱１４の上端にネイルチップ２１の保持台１５を首振り可能に連結したことを特徴としている。
【００１９】この発明のネイルチップ用スタンドは、所定幅の長尺板からなる基台１１上に、支持部材１２を適当な間隔で直立状態となるよう取り付け、この支持部材１２上部の筒状部１３に、支柱１４を着脱可能に装着したものである。そして、前記支柱１４上端の軸受雄部１４’に外向きに連結軸１６を突設した上、軸受雄部１４’へネイルチップ２１の保持台１５の軸受雌部１５’を挿入し、軸受雌部１５’の弾性を利用してその軸孔１７に連結軸１６をはめ込むことにより、支柱１４へ保持台１５を連結軸１６を介して首振り可能に連結している。
【００２０】したがって、基台１１に設けた支持部材１２の筒状部１３に支柱１４をはめ込み、連結軸１６部分でネイルチップ２１の保持台１５を首振りさせて適宜の角度に保持することにより、最良の状態でネイルチップ２１上に任意にデザインを施すことができる。なお、筒状部１３および支柱１４を楕円形断面としたので、作業中にネイルチップ２１の保持台１５が勝手に回ってしまうことがなく、作業性がよい。もちろん、楕円形断面でなく角形断面や円形断面であってもよい。
【００２１】また支柱１４を筒状の支持部材１２に対して取り付けおよび取り外し可能としているので、図２のように複数の保持台１５を用いて複数のネイルチップ２１のそれぞれに複数の人員を配置することにより、模様などを効率よくデザインすることができる。なお図２には、各保持台１５にそれぞれ親指から小指までの各サイズを取り付ける場合について示している。
【００２２】例えば、ネイルチップ２１に下地を吹き付ける際には、他のネイルチップ２１を支柱１４ごと取り外して上記吹き付けによる影響が出ないようにするとともに、模様などをデザインする場合には複数の保持台１５を支持部材１２上に取り付けて、複数のネイルチップ２１に複数の人員を交互に向きを代えて配置することにより、模様などを効率よくデザインするようにすることができる。また、ネイルチップ２１に下地を吹き付けた後、支柱１４を保持台１５から取り外して手で持ち、個々のネイルチップ２１への模様つけ作業をする場合にも、支柱１４自体は汚れていないので何ら支障がない。
【００２３】なお、上記実施例においては連結軸１６を支柱１４上端の軸受雄部１４’に外向きに突設した場合について説明したが、軸受部分を貫通する軸ネジを用いたり、軸ピンをかしめ付けたりすることによって連結してもよい。
【００２４】図４および図５はこの発明のネイルチップ用スタンドの他の実施例を示すものである。この実施例では、ネイルチップの保持台３２を支柱３１に対して首振り可能に連結する手段を、玉軸受３３としている。したがって、ネイルチップの保持台３２を支柱３１に対して自在に調整することができる。
【００２５】すなわち、上記第１の実施例においても、ネイルチップの保持台１５および支柱１４を円形断面として、支持部材１２上部の筒状部１３内で回転可能とすることにより、保持台１５の角度だけでなく向きをも変えることは可能である。しかしながら、このような構造は安定性に欠けるためにかえって作業性が悪くなってしまう。この実施例においては図５のように、安定した状態において、ネイルチップの保持台３２の支柱３１上における首振りの角度や向きのみならず、首振りをした角度のままで横に倒したりすることもできるのである。
【００２６】したがって、デザインを施す場合のネイルチップの首振りの角度や向きのみならず、横向きに寝かせる状態等をも選定し、最良の状態でネイルチップにデザインを施すことができる。
【００２７】また複数の支持部材１２を配置した基台１１に支柱１４，３１をそれぞれ取り付けることにより、基台１１上に複数個のネイルチップを固定できる。すなわち、使用する例えば５本のネイルチップを保持台１５，３２上にそれぞれ保持させることができるので、統一したデザインを効率よくネイルチップ上に施すことが可能となる。
その際、各保持台１５，３２にそれぞれ親指から小指までの各ネイルチップの大きさに応じて、あるいは各人の指のサイズに応じて、各種の大きさの保持台１５，３２を準備しておくことが必要である。
【００２８】図中１８，３４は、ネイルチップ２１，４１を貼着するためのゴムやスポンジ等の弾性カバーで、保持台１５，３２上にネイルチップ２１，４１を密着するよう取り付けることを可能としている。したがって、ネイルチップ２１，４１上にかかる衝撃を緩衝し、多少のネイルチップ２１，４１と弾性カバー１８，３４との曲がり具合の不一致をも吸収できるようになっている。
【００２９】なお、上記各実施例において支柱１４，３１の長さを調整することにより、ネイルチップにデザインを施す作業者の体格（主として座高）に応じて、適当な高さに調節することもできる。
【００３０】デザインが終了した後のネイルチップは、支柱１４，３１に固定したまま、図６に示すようなガイドレール５２に基台５１をはめ込むことにより、並列させて乾燥させることができる。その際、乾燥用の温風の当たる向きを、自由に調整することができる。
【００３１】また同様にして、ガイドレール５２をショーケース等の陳列台に取り付け、ガイドレール５２に基台５１をはめ込むことにより、ネイルチップを整列させた状態で陳列することができる。図６において５３は、基台５１の内部に向けて形成した支柱をはめ込むための筒状部である。
【００３２】なお、上記ネイルチップ２１，４１を貼着するためのゴムやスポンジ等の弾性カバー１８，３４に代えて、表面に形成したスカルプチャを剥離しやすいシリコンゴム等の素材で指の形状に成形したものを取り付けることにより、スカルプチャの模様付け作業のため、あるいはその練習用として、またスカルプチャのディスプレイ用として使用することができる。
【００３３】
【発明の効果】この発明のネイルチップ用スタンドによれば、スタンド上のネイルチップが首振りできるようになっている。したがって、隣り合った保持台に取り付けたネイルチップに対する作業において、１の保持台上のネイルチップに対する作業が終わったときに、そのネイルチップを反対側に向けておくことにより、次のネイルチップの作業の際に前のネイルチップを汚すことがない。不良率が低下するとともに、効率的に作業を行なうことができる。
【００３４】ネイルチップの保持台を取り付けた支柱は、基台上に設けた支持部材に対して着脱自在となっている。したがって、ネイルチップを取り付けたまま支持部材から抜き取り、支柱を手に持った状態でネイルチップ上に模様付け等の作業を行なうことができるので、非常に作業がしやすい。
【００３５】ネイルチップ上にエアブラシ等をかけた場合、支柱は支持部材に収納されていて汚れることがない。したがって、支柱の部分ごと抜き取り、乾燥台に設けた筒状部にこの支柱をはめ込んで、ネイルチップを乾燥させることができる。また、飾り棚に同様の筒状部を設けておけば、支持部材からネイルチップを支柱ごと抜き取って筒状部に取り付けることにより、すぐにディスプレイすることも可能である。
【図面の簡単な説明】
【図１】（ａ）は支柱上にネイルチップの保持台を組み付けた状態の正面図、（ｂ）はその側面図である。
【図２】基台の支持部材に支柱を取り付ける状態を示す斜視図である。
【図３】取り付け後の断面図である。
【図４】この発明のネイルチップ用スタンドの他の実施例を示す断面図である。
【図５】その使用状態を示す斜視図である。
【図６】基台を陳列する状態を示す斜視図である。
【符号の説明】
１１  基台
１２  支持部材
１３  筒状部
１４  支柱
１４’  軸受雄部
１５  保持台
１５’  軸受雌部
１６  連結軸
１７  軸孔
１８  弾性カバー
２１  ネイルチップ
３１  支柱
３２  保持台
３３  玉軸受
３４  弾性カバー
４１  ネイルチップ
５１  基台
５２  ガイドレール
５３  筒状部
【図１】
2004313634.tif 000003
【図２】
2004313634.tif 000004
【図３】
2004313634.tif 000005
【図４】
2004313634.tif 000006
【図５】
2004313634.tif 000007
【図６】
2004313634.tif 000008